(57)【要約】【課題】屋外側から屋内側に向かう水の浸入を抑制することができる止水構造を提供すること。【解決手段】床面１００に形成された排水溝１１０を覆う排水溝蓋２を用いた止水構造１−１であって、排水溝蓋２を排水溝１１０に対して起立する起立状態で保持する保持具３と、起立状態の排水溝蓋２の屋外側に取り付けられた防水性の防水シート４と、を備え、防水シート４は、起立状態の排水溝蓋２の屋外側の少なくとも一部を覆い、かつ起立状態の排水溝蓋２と下側で連続する面（側面１１０ｂ，底面１１０ａ）まで延在する。【選択図】図５
2019124037.tif 000002
【特許請求の範囲】
【請求項１】
床面に形成された排水溝を覆う排水溝蓋を用いた止水構造であって、
前記排水溝蓋を前記排水溝に対して起立する起立状態で保持する保持手段と、
前記起立状態の排水溝蓋の屋外側に取り付けられた防水性の防水シートと、
を備え、
前記防水シートは、前記起立状態の排水溝蓋の屋外側の少なくとも一部を覆い、かつ前記起立状態の排水溝蓋と下側で連続する面まで延在することを特徴とする止水構造。
【請求項２】
前記保持手段は、前記排水溝蓋を前記排水溝に対して屋内側に起立状態を保持するものであり、
前記防水シートは、前記排水溝の前記屋内側の側面まで延在する請求項１に記載の止水構造。
【請求項３】
前記防水シートは、前記排水溝の底面まで延在し、
前記防水シートのうち、前記底面と対向する部分に載置されるおもりを備える請求項２に記載の止水構造。
【請求項４】
前記保持手段は、起立した前記排水溝蓋の屋内側の前記床面に固定されるとともに、前記起立状態の排水溝蓋の移動を規制する保持具である請求項２または３に記載の止水構造。
【請求項５】
前記保持手段は、少なくとも前記排水溝あるいは床に形成され、かつ前記排水溝蓋の屋内外方向における一方の端部が挿入される挿入溝を含む請求項１〜４のいずれか１項に記載の止水構造。
【請求項６】
前記保持手段は、
前記排水溝蓋を前記排水溝を覆う倒伏状態と前記起立状態との間で回動する回動機構と、
前記排水溝蓋の裏面側と、前記排水溝のうち、前記排水溝蓋が起立する側と反対側との間に渡って設けられ、前記倒伏状態において前記排水溝内に収納され、前記起立状態において前記回動機構による前記排水溝蓋の回動を規制する回動規制機構とを含む請求項１〜３のいずれか１項に記載の止水構造。
【発明の詳細な説明】
【技術分野】
【０００１】
本発明は、止水構造に関し、排水溝蓋を用いた止水構造に関する。
【背景技術】
【０００２】
従来、豪雨、津波、河川の氾濫などの水害時に、外部である屋外からの氾濫水などの水は、構造物の開口部から内部である構造物内（屋内）に侵入するため、構造物の開口部に止水構造が設けられている。例えば、開閉体としてのシャッターの裏面に、屈曲自在な防水シートが設けられていると共に、シャッターの幅方向の端を案内するガイド部材には、防水シートと対向するようにしてシール部材が設けられているシャッター装置がある（特許文献１）。このようなシャッター装置は、氾濫水等の水圧がシャッターの表面に作用すると、防水シートがシール部材に圧接され、止水構造としての機能を発揮する。
【先行技術文献】
【特許文献】
【０００３】
【特許文献１】特許第４４５９７４０号公報
【発明の概要】
【発明が解決しようとする課題】
【０００４】
上記のような止水構造は、シャッターや扉などの開口部を閉塞する開閉体が必要となる。従って、開閉体がない開口部には採用することができない。また、開口部に限らず屋外側から屋内側に向かう水の浸入を抑制することが要望されている。
【０００５】
本発明は、上記に鑑みてなされたものであって、屋外側から屋内側に向かう水の浸入を抑制することができる止水構造を提供することを目的とするものである。
【課題を解決するための手段】
【０００６】
上述した課題を解決し、目的を達成するために、本発明は、床面に形成された排水溝を覆う排水溝蓋を用いた止水構造であって、前記排水溝蓋を前記排水溝に対して起立する起立状態で保持する保持手段と、前記起立状態の排水溝蓋の屋外側に取り付けられた防水性の防水シートと、を備え、前記防水シートは、前記起立状態の排水溝蓋の屋外側を少なくとも一部を覆い、かつ前記起立状態の排水溝蓋と下側で連続する面まで延在することを特徴とする。
【０００７】
また、上記止水構造において、前記保持手段は、前記排水溝蓋を前記排水溝に対して屋内側に起立状態を保持するものであり、前記防水シートは、前記排水溝の前記屋内側の側面まで延在することが好ましい。
【０００８】
また、上記止水構造において、前記防水シートは、前記排水溝の底面まで延在し、前記防水シートのうち、前記底面と対向する部分に載置されるおもりを備えることが好ましい。
【０００９】
また、上記止水構造において、前記保持手段は、起立した前記排水溝蓋の屋内側の前記床面に固定されるとともに、前記起立状態の排水溝蓋の移動を規制する保持具であることが好ましい。
【００１０】
また、上記止水構造において、前記保持手段は、少なくとも前記排水溝あるいは床に形成され、かつ前記排水溝蓋の屋内外方向における一方の端部が挿入される挿入溝を含むことが好ましい。
【００１１】
また、上記止水構造において、前記保持手段は、前記排水溝蓋を前記排水溝を覆う倒伏状態と前記起立状態との間で回動する回動機構と、前記排水溝蓋の裏面側と、前記排水溝のうち、前記排水溝蓋が起立する側と反対側との間に渡って設けられ、前記倒伏状態において前記排水溝内に収納され、前記起立状態において前記回動機構による前記排水溝蓋の回動を規制する回動規制機構とを含むことが好ましい。
【発明の効果】
【００１２】
保持手段により起立状態が保持された排水溝蓋の屋外側を防水シートにより覆うので、排水溝蓋から水が屋外側から屋内側に侵入することを防止でき、屋外側から屋内側に向かう水の浸入を抑制することができるという効果を奏する。
【図面の簡単な説明】
【００１３】
【図１】図１は、実施形態１に係る止水構造の概略構成例を示す平面図である。
【図２】図２は、実施形態１に係る床面に設置された排水溝蓋を示す平面図である。
【図３】図３は、倒伏状態の排水溝蓋を示す断面図である。
【図４】図４は、倒伏状態の排水溝蓋を示す一部平面図である。
【図５】図５は、実施形態１に係る止水構造の構成例を示す断面図である。
【図６】図６は、実施形態１に係る止水構造の構成例を示す一部平面図である。
【図７】図７は、実施形態２に係る倒伏状態の排水溝蓋を示す断面図である。
【図８】図８は、実施形態２に係る止水構造の構成例を示す断面図である。
【図９】図９は、実施形態３に係る倒伏状態の排水溝蓋を示す断面図である。
【図１０】図１０は、実施形態３に係る止水構造の構成例を示す断面図である。
【図１１】図１１は、実施形態４に係る止水構造の構成例を示す断面図である。
【図１２】図１２は、実施形態５に係る床面に設置された排水溝蓋を示す平面図である。
【図１３】図１３は、実施形態５に係る止水構造の概略構成例を示す平面図である。
【図１４】図１４は、実施形態６に係る床面に設置された排水溝蓋を示す平面図である。
【図１５】図１５は、実施形態６に係る止水構造の概略構成例を示す平面図である。
【発明を実施するための形態】
【００１４】
以下に、本発明にかかる止水構造の実施形態を図面に基づいて詳細に説明する。なお、この実施形態によりこの発明が限定されるものではない。また、下記の実施形態における構成要素には、当業者が容易に想定できるもの或いは実質的に同一のものが含まれる。
【００１５】
〔実施形態１〕
まず、実施形態１に係る止水構造について説明する。図１は、実施形態１に係る止水構造の概略構成例を示す平面図である。図２は、実施形態１に係る床面に設置された排水溝蓋を示す平面図である。図３は、倒伏状態の排水溝蓋を示す断面図である。図４は、倒伏状態の排水溝蓋を示す一部平面図である。図５は、実施形態１に係る止水構造の構成例を示す断面図である。図６は、実施形態１に係る止水構造の構成例を示す一部平面図である。なお、図３は図４のＡ−Ａ断面図であり、図５は図６のＢ−Ｂ断面図である。
【００１６】
本実施形態に係る止水構造１−１は、図１に示すように、排水溝蓋２を用いた構造である。排水溝蓋２は、図２に示すように、排水溝１１０を覆うものである。排水溝１１０は、本実施形態では、建物２００に設けられた開口部２１０に形成されており、その長さは開口部２１０の幅Ｌである。開口部２１０は、壁部材２０１，２０２と図示しない天井とで構成されており、建物２００の内部に設けられた駐車場の出入口や、シャッターおよび扉がない出入口などであり、建物２００の内部側が屋内側で、建物２００の外部が屋外側である。止水構造１−１は、建物２００の外部からの氾濫水などの水が建物２００の内部に侵入することを抑制するものである。
【００１７】
排水溝１１０は、図３に示すように、長手方向（水が流れる方向）から見た場合に、Ｕ字状、例えば、コンクリート製のブロック１２０が床面１００に埋設されることで形成されている。ブロック１２０には、内部に段差部１２１，１２２が形成されており、段差部１２１，１２２に排水溝蓋２の短手方向（屋内外方向）の端部２２，２３が接触することで、排水溝蓋２が床面１００に設置される。なお、排水溝蓋２が床面１００に設置されている、すなわち、端部２２，２３が段差部１２１，１２２に接触した状態を排水溝蓋２の倒伏状態という。
【００１８】
ブロック１２０は、図１に示すように、床面１００に対する排水溝１１０の長さに応じて、複数個が連続して埋設されている。隣り合うブロック１２０は、長手方向の端部が接触または近接している。また、ブロック１２０には、図３に示すように、排水穴１２３が形成されている。排水穴１２３は、本実施形態では、排水溝１１０の底面１１０ａに形成されており、下水管１３０と接続され、排水溝１１０に流れ込んだ水を外部に排水する。
【００１９】
止水構造１−１は、図１に示すように、排水溝蓋２と、保持具３と、防水シート４と、おもり５を含んで構成されている。
【００２０】
排水溝蓋２は、図３および図４に示すように、床面１００に形成された排水溝１１０を覆うことで、床面１００に設置されるものである。排水溝蓋２は、金属製あるいは樹脂製であり、倒伏状態で床面１００側に露出する表面２ａと、排水溝１１０側に露出する裏面２ｂとを貫通する複数の貫通穴２１が形成されている。図３に示すように、排水溝蓋２を倒伏状態とし床面１００に設置すると、貫通穴２１は床面１００と排水溝１１０とを連通する。従って、建物２００の屋外側から開口部２１０を介して屋内側に向かって流れてきた水Ｗ１は、貫通穴２１を介して排水溝１１０に流れ込み、排水穴１２３および下水管１３０を介して外部に排水される。排水溝蓋２は、表面２ａが矩形状、本実施形態では、図４に示すように、長方形に形成されている。ここで、排水溝蓋２の短手方向の長さ、すなわち排水溝蓋２の幅は、排水溝１１０に挿入でき、かつ段差部１２１，１２２に端部２２，２３が接触するように設定されている。排水溝蓋２は、通常、ブロック１２０と対になるものであり、長手方向の長さ、すなわち排水溝蓋２の長さは、ブロック１２０の排水溝１１０の長手方向の長さに設定されている。なお、床面１００のうち、排水溝１１０よりも屋内側には、保持具３を固定する締結穴１００ａが形成されている。締結穴１００ａは、止水構造１−１を使用しない場合、例えばゴム製のキャップ１４０で閉塞されている。
【００２１】
保持具３は、本実施形態における保持手段であり、起立状態の排水溝蓋２の移動を規制する、すなわち排水溝蓋２を排水溝１１０に対して起立する起立状態で保持するものであり、図５に示すように、１つの排水溝蓋２に対して少なくとも１つ以上、本実施形態では２つ設けられる。保持具３は、本実施形態では、床面１００のうち排水溝１１０よりも屋内側に設置され、排水溝蓋２を屋内側に端部２３を段差部１２２に接触させて起立した状態、すなわち起立状態で保持するものである。保持具３は、本体部３１と、保持部３２と、固定部３３とにより構成されている。
【００２２】
本体部３１は、固定部材３１ａと、保持部材３１ｂと、支持部材３１ｃとにより構成されている。固定部材３１ａは、図示しない穴が形成されており、固定部３３が穴を介して締結穴１００ａに挿入、締結されることで保持具３を床面１００に固定する。固定部材３１ａは、コ字状に形成されており、一方の端部に挿入ピン３１ｄが挿入固定されている。固定部材３１ａは、他方の端部において支持ピン３１ｅにより保持部材３１ｂに対して回転自在に支持されている。保持部材３１ｂは、コ字状に形成されており、支持ピン３１ｅにより固定部材３１ａが回転した際に、固定部材３１ａを内部に収容できるように形成されている。保持部材３１ｂは、支持ピン３１ｅが形成されている端部と反対側の端部において支持ピン３１ｆにより支持部材３１ｃに対して回転自在に支持されている。支持部材３１ｃは、保持部材３１ｂが固定部材３１ａに対して、回転することを規制するものである。支持部材３１ｃは、コ字状に形成されており、支持ピン３１ｆにより保持部材３１ｂが回転した際に、保持部材３１ｂを固定部材３１ａとともに内部に収容できるように形成されている。支持部材３１ｃは、支持ピン３１ｆが形成されている端部と反対側の端部に挿入ピン３１ｄが挿入される切り欠き３１ｇが形成されている。つまり、本体部３１は、挿入ピン３１ｄに切り欠き３１ｇが挿入されることで、三角形状を維持することができる。また、固定部材３１ａを保持部材３１ｂ内に収容でき、保持部材３１ｂを支持部材３１ｃに収容できるので、止水構造１−１を使用しない場合に、本体部３１を折り畳むことができ、保管スペースの省スペース化を図ることができる。
【００２３】
保持部３２は、本実施形態では、保持部材３１ｂの支持ピン３１ｆが設けられている側、すなわち本体部３１の上方側において、起立状態の排水溝蓋２側に突出し、先端部３２ａが下方側（排水溝１１０側）に突出して形成されている。つまり、保持部３２は、保持具３を幅方向（各ピンの軸方向）から見た場合に、Ｌ字状に形成されている。保持部３２は、起立状態の排水溝蓋２を保持部材３１ｂとの間に挟み込むことで、排水溝蓋２が倒伏することを規制する。
【００２４】
固定部３３は、保持具３を床面１００に固定するものである。固定部３３は、例えば、作業員が工具を使用せずに締結穴１００ａ、例えば、ねじ穴に締結することができる、手締めネジ、ノブボルト、蝶ボルトなどである。固定部３３は、保持具３が床面１００に対して移動することを確実に規制するために２以上（同図では、２つ）有することが好ましい。
【００２５】
防水シート４は、図１に示すように、起立状態の排水溝蓋２の屋外側に取り付けられるものである。防水シート４は、防水性、すなわち液体を通過させず、かつ可撓性を有する樹脂材料などで構成されている。防水シート４は、１枚のシートで構成されている。防水シート４の幅（防水シート４の長手方向の長さ）は、少なくとも開口部２１０の幅Ｌよりも長く、かつ図６に示すように、端部４３，４４が開口部２１０を構成する壁部材２０１，２０２に対してそれぞれ接触する長さに形成されている。また、防水シート４の高さ（防水シート４の短手方向の長さ）は、図５に示すように、起立状態の排水溝蓋２の屋外側の少なくとも一部を覆い、かつ起立状態の排水溝蓋２と下側で連続する面、本実施形態では、排水溝１１０の屋内側の側面１１０ｂおよび側面１１０ｂと連続する底面１１０ａの少なくとも一部（後述するおもり５を防水シート４のみで載置できる程度）を覆うまでの長さに形成されている。防水シート４は、図５に示すように、本体部４１と、底部４２と、端部４３，４４とを有して構成されている。
【００２６】
本体部４１は、本実施形態では、起立状態の排水溝蓋２の屋外側の全面と、排水溝１１０の屋内側の側面１１０ｂの全面とを覆うものである。本体部４１は、排水溝１１０に流れ込んだ水および床面１００よりも上側の水の水圧により、排水溝蓋２と側面１１０ｂと密着する。本体部４１は、排水溝蓋２の貫通穴２１を屋外側から閉塞することで、排水溝蓋２の貫通穴２１を介して水が屋外側から屋内側に侵入することを防止する。本体部４１は、起立状態の排水溝蓋２と側面１１０ｂ、すなわちブロック１２０との境界を屋外側から閉塞することで、排水溝蓋２と排水溝１１０との隙間を介して水が屋外側から屋内側に侵入することを防止する。ここで、本体部４１を排水溝蓋２に固定する方法は、本体部４１を排水溝蓋２に対して着脱可能であれば特に限定されるものではない。例えば、ピンチ（クリップ）、粘着材、フック、紐などで、排水溝蓋２の上側、すなわち端部２２に防水シート４を引っかける、取り付ける、つり下げる。
【００２７】
底部４２は、本実施形態では、排水溝１１０の底面１１０ａの一部を覆うものである。底部４２は、本体部４１と連続して形成されており、排水溝１１０に流れ込んだ水による水圧により底面１１０ａと密着することで、排水溝１１０に流れ込んだ水が本体部４１と側面１１０ｂとの間に侵入することを防止する。底部４２は、排水穴１２３を避けて設置されることが好ましい。本実施形態における底部４２は、排水穴１２３よりも屋内側の底面１１０ａを覆う。
【００２８】
端部４３，４４は、本実施形態では、図６に示すように、壁部材２０１，２０２の一部と、壁部材２０１，２０２とそれぞれ連続する排水溝１１０の側面１１０ｃ，１１０ｄの一部を覆うものである。端部４３，４４は、本体部４１および底部４２とそれぞれ連続して形成されており、排水溝１１０に流れ込んだ水および床面１００よりも上側の水の水圧により、壁部材２０１，２０２および側面１１０ｃ，１１０ｄとそれぞれ密着することで、排水溝１１０に流れ込んだ水および床面１００よりも上側の水が端部４３，４４と、壁部材２０１，２０２および側面１１０ｃ，１１０ｄとの間に侵入することを防止する。ここで、端部４３，４４の壁部材２０１，２０２および排水溝１１０に対する固定方法は、端部４３，４４を壁部材２０１，２０２および排水溝１１０に対して隙間が形成されることを抑制できるように着脱可能であれば特に限定されるものではない。例えば、端部４３，４４の上端から下端まで連続する芯部を形成し、壁部材２０１，２０２から排水溝１１０まで連続して形成された受け部に芯部を挿入してもよい。また、端部４３，４４を壁部材２０１，２０２および排水溝１１０に対して防水性を有する面ファスナーで取り付けてもよい。また、端部４３，４４を壁部材２０１，２０２および排水溝１１０に対して粘着テープで取り付けてもよい。
【００２９】
おもり５は、防水シート４の底部４２に載置される、すなわち防水シート４のうち、排水溝１１０の底面１１０ａと対向する部分に載置されるものである。おもり５は、金属製の平板であり、端部４３から端部４４まで、直線的に底部４２に載置できるように、単数あるいは複数で形成されている。つまり、おもり５は、排水溝１１０を屋外側から屋内側に向かって見た場合に、端部４３から端部４４まで連続的に底部４２に載置されている。ここで、おもり５は、底部４２に対して排水溝１１０に流れ込んだ水による水圧が十分に作用する前に、底面１１０ａと底部４２との間を介して本体部４１と側面１１０ｂとの間に水が侵入することを防止するものである。
【００３０】
次に、倒伏状態の排水溝蓋２を止水構造１−１として用いる場合の手順について説明する。通常雨量の雨などの場合は、図３に示すように、建物２００の屋外側から開口部２１０を介して屋内側に向かって流れてきた水Ｗ１は、倒伏状態の排水溝蓋２を介して排水溝１１０により外部に排水される。一方、例えば、豪雨、津波、河川の氾濫などでは、図５に示すように、大量の水Ｗ２が排水溝１１０に流れ込むため、排水溝１１０による外部への排水が追いかず、水Ｗ２が床面１００にあふれる可能性がある。このような場合に、まず、倒伏状態の排水溝蓋２を起立させ、予め展開して組み立てた保持具３の保持部３２と保持部材３１ｂとの間に起立状態の排水溝蓋２の端部２２を挟み込む。次に、保持具３を床面１００に固定部３３により固定する。この作業を各保持具３および各排水溝蓋２に対して行い、保持具３により、開口部２１０に設置されているすべての排水溝蓋２の起立状態を維持する。次に、防水シート４を起立状態の排水溝蓋２の屋外側に設置する。具体的には、端部４３，４４を壁部材２０１，２０２および側面１１０ｃ，１１０ｄに対して取り付けた後、底部４２を床面１００に展開し、底部４２におもり５を設置し、本体部４１を排水溝蓋２に取り付ける。これにより、排水溝蓋２を用いた止水構造１−１を設置する。なお、起立状態の排水溝蓋２は、床面１００からの高さが高くても３０ｃｍ〜４０ｃｍ程度である。
【００３１】
大量の水Ｗ２が排水溝１１０に流入して、排水溝１１０の排水能力を超えると、排水溝１１０に水が貯まり始める。排水溝１１０に貯まった水の水圧は、防水シート４に作用するため、防水シート４が底面１１０ａおよび側面１１０ｂ，１１０ｃ，１１０ｄと密着し、排水溝１１０内の水が防水シート４と、底面１１０ａおよび側面１１０ｂ，１１０ｃ，１１０ｄとの間に入り込むことが防止される。さらに、床面１００より上側に水位ＷＬが上昇すると、床面１００より上側の水の水圧は、防水シート４に作用するため、防水シート４が排水溝蓋２および壁部材２０１，２０２と密着し、床面１００よりも上側の水が防水シート４と、排水溝蓋２および壁部材２０１，２０２との間に入り込むことが防止される。
【００３２】
以上のことから、本実施形態に係る止水構造１−１は、起立状態の排水溝蓋２の屋内側に取り付けられた防水シート４が床面１００よりも上側の水の屋内側への侵入を、床面１００から防水シート４の上側の端部までの高さＨまで抑制することができる。つまり、開口部２１０にシャッターや扉などの開口部２１０を閉塞する開閉体が設置されていなくても、開口部２１０を介して水が屋外側から屋内側に侵入することを抑制することができる。また、本実施形態に係る止水構造１−１は、開閉体を用いた止水構造ではなく、起立状態の排水溝蓋２の高さは人が十分に跨ぐことができる高さであるので、開口部２１０を使用して、外部と建物２００との間を行き来することができる。また、止水構造１−１は、図１に示すように、止水構造１−１を開口部２１０の幅方向のすべてに適用することができるので、開口部２１０から屋内側への水の侵入を確実に防止することができる。
【００３３】
〔実施形態２〕
次に、実施形態２に係る止水構造について説明する。図７は、実施形態２に係る倒伏状態の排水溝蓋を示す断面図である。図８は、実施形態２に係る止水構造の構成例を示す断面図である。実施形態２に係る止水構造１−２が実施形態１に係る止水構造１−１と異なる点は、排水溝蓋２の一方の端部２３（つば部２３ａ）が挿入される挿入溝１２２ａが形成されている点である。なお、実施形態２に係る止水構造１−２の基本的構成および動作は、実施形態１に係る止水構造１−１の基本的構成および動作と同一あるいはほぼ同一であるので、同一符号で示される要素については説明を省略あるいは簡略化する（以下の、実施形態３〜６も同様）。
【００３４】
排水溝蓋２は、図７に示すように、端部２２，２３につば部２２ａ，２３ａが形成されている。つば部２２ａ，２３ａは、端部２２，２３において排水溝蓋２の長手方向に延在して形成されている。つば部２２ａ、２３ａは、排水溝蓋２が倒伏状態において、床面１００（本実施形態では、床面１００と同一平面のブロック１２０の上端面）と接触することで、ブロック１２０と排水溝蓋２との隙間にゴミなどの異物が侵入することを抑制する。
【００３５】
ブロック１２０は、排水溝蓋２の端部２２，２３のうち一方の端部、本実施形態では、つば部２３ａが挿入される挿入溝１２２ａが下側に向かって形成されている。挿入溝１２２ａは、保持具３とともに保持手段であり、排水溝１１０の屋内側に形成された段差部１２２に形成されている。なお、本実施形態では、排水穴１２３が排水溝１１０の底面１１０ａではなく、排水溝１１０の屋外側の側面１１０ｅに形成されている。従って、排水溝１１０に流れ込んだ水は、側面１１０ｅに形成された排水穴１２３および下水管１３０を介して外部に排水される。この場合、底面１１０ａに排水穴１２３がないので、排水穴１２３を考慮せずに、防水シート４の底部４２を底面１１０ａに設置することができる。
【００３６】
保持具３は、図８に示すように、保持部３４を有する。保持部３４は、本実施形態では、保持部材３１ｂの中央部において、起立状態の排水溝蓋２側に突出し、先端部３４ａが上方側（排水溝１１０側と反対側）に突出して形成されている。つまり、保持部３４は、保持具３を幅方向（各ピンの軸方向）から見た場合に、Ｌ字状に形成されている。保持部３４は、貫通穴２１に挿入され、起立状態の排水溝蓋２を保持部材３１ｂとの間に挟み込むことで、排水溝蓋２が倒伏することを規制する。
【００３７】
次に、倒伏状態の排水溝蓋２を止水構造１−２として用いる場合の手順について説明する。図８に示すように、まず、倒伏状態の排水溝蓋２を起立させ、予め展開して組み立てた保持具３の保持部３４を貫通穴２１に挿入し、保持部３４と保持部材３１ｂとの間に起立状態の排水溝蓋２を挟み込む。次に、保持具３を床面１００に固定部３３により固定する。この作業を各保持具３および各排水溝蓋２に対して行い、保持具３により、開口部２１０に設置されているすべての排水溝蓋２の起立状態を維持する。次に、防水シート４を起立状態の排水溝蓋２の屋外側に設置する。これにより、排水溝蓋２を用いた止水構造１−２を設置する。
【００３８】
以上のことから、本実施形態に係る止水構造１−２は、実施形態１と同様の効果を奏することができる。また、挿入溝１２２ａに起立状態の排水溝蓋２のつば部２３ａが挿入されるので、排水溝蓋２が倒伏することを規制することができる。従って、排水溝蓋２の起立状態を確実に維持することができる。
【００３９】
なお、上記実施形態１〜２における保持具３は、床面１００から取り外せて、かつ折り畳み可能としたが、これに限定されるものではなく、床面１００に固定され、排水溝蓋２の起立状態を保持することができればよい。例えば、止水構造１−１を使用する場合に、折り畳めない構造物を床面１００に固定することや、倒伏状態で床面１００と同一平面となり、起立状態で起立状態の排水溝蓋２を保持する折り畳み可能な構造物であってもよい。
【００４０】
〔実施形態３〕
次に、実施形態３に係る止水構造について説明する。図９は、実施形態３に係る倒伏状態の排水溝蓋を示す断面図である。図１０は、実施形態３に係る止水構造の構成例を示す断面図である。実施形態３に係る止水構造１−３が実施形態１に係る止水構造１−１と異なる点は、排水溝蓋２を回動機構６と回動規制機構７とにより起立状態、倒伏状態に切り替える点である。
【００４１】
回動機構６は、保持手段を構成するものであり、排水溝蓋２を倒伏状態と起立状態との間で回動するものであり、基部６１と、回動軸６２とを含んで構成されている。基部６１は、排水溝蓋２の端部２３を回動自在に支持するものであり、段差部１２２に固定されている。回動軸６２は、排水溝蓋２の端部２３に回転自在に挿入され、両端部が基部６１に固定されている。
【００４２】
回動規制機構７は、保持手段を構成するものであり、排水溝蓋２の倒伏状態と起立状態との間の回動に連動して動作するものであり、排水溝側基部７１と、排水溝蓋側基部７２と、第１アーム７３と、第２アーム７４とを含んで構成されている。排水溝側基部７１は、排水溝蓋２が起立する側と反対側、すなわち屋外側となる側面１１０ｅに固定されている。排水溝蓋側基部７２は、排水溝蓋２の裏面２ｂ側に固定されている。第１アーム７３は、両端部が支持ピン７５，７６によりそれぞれ排水溝側基部７１および第２アーム７４に回転自在に支持されている。第２アーム７４は、両端部が支持ピン７６，７７によりそれぞれ第２アーム７４および排水溝蓋側基部７２に回転自在に支持されている。つまり、回動規制機構７は、排水溝蓋２の裏面２ｂ側と、排水溝１１０のうち、排水溝蓋２が起立する側と反対側との間に渡って設けられている。回動規制機構７は、図９に示すように、排水溝蓋２の倒伏状態において、排水溝１１０内に収容される。また、回動規制機構７は、図１０に示すように、排水溝蓋２の起立状態において第１アーム７３と第２アーム７４とが一直線となり、排水溝蓋２が屋内側に倒伏することを規制する。また、排水溝蓋２が屋外側に倒伏しようとした際に、一直線の第１アーム７３および第２アーム７４が支えとなり、屋外側に倒伏することを規制する。
【００４３】
本実施形態では、下水管１３０に逆止弁１５０が形成されている。逆止弁１５０は、下水管１３０から排水溝１１０に向かって水が逆流することを規制するものである。従って、底面１１０ａに排水穴１２３があっても、排水穴１２３から排水溝１１０に向かって水が流入することがないので、排水穴１２３を考慮せずに、防水シート４の底部４２を底面１１０ａに設置することができる。
【００４４】
次に、倒伏状態の排水溝蓋２を止水構造１−３として用いる場合の手順について説明する。図９に示すように、まず、倒伏状態の排水溝蓋２を回動機構６により端部２３を回動基点として起立させる。このとき、回動規制機構７は、排水溝蓋２が倒伏状態から起立状態に回動することに連動して動作し、第１アーム７３と第２アーム７４とが一直線となる。次に、防水シート４を起立状態の排水溝蓋２の屋外側に設置する。これにより、排水溝蓋２を用いた止水構造１−３を設置する。
【００４５】
以上のことから、本実施形態に係る止水構造１−３は、実施形態１と同様の効果を奏することができる。また、排水溝蓋２が倒伏状態から起立状態に回動機構６により回動することに、予め設けられた回動規制機構７が連動して、起立状態の排水溝蓋２が倒伏することを規制できるように動作するので、保持具３が不要となり、止水構造１−３を簡単に設置することができる。
【００４６】
〔実施形態４〕
次に、実施形態４に係る止水構造について説明する。実施形態４に係る止水構造の構成例を示す断面図である。実施形態４に係る止水構造１−４が実施形態３に係る止水構造１−３と異なる点は、排水溝蓋２が起立した側が屋外側であり、起立状態の排水溝蓋２の排水溝１１０側と反対側に防水シート４を設置する点である。
【００４７】
防水シート４の本体部４１は、本実施形態では、起立状態の排水溝蓋２の屋外側の全面を覆うものである。本体部４１は、床面１００上の水の水圧により、排水溝蓋２と密着する。底部４２は、本実施形態では、床面１００の一部を覆うものである。底部４２は、本体部４１と連続して形成されており、床面１００上の水の水圧により床面１００と密着することで、床面１００上の水が本体部４１と床面１００との間に侵入することを防止する。端部４３，４４は、本実施形態では、壁部材２０１，２０２の一部を覆うものである。端部４３，４４は、本体部４１および底部４２とそれぞれ連続して形成されており、床面１００上の水の水圧により、壁部材２０１，２０２とそれぞれ密着することで、床面１００上の水が端部４３，４４と、壁部材２０１，２０２との間に侵入することを防止する。なお、おもり５は、防水シート４のうち、床面１００と対向する部分に載置されるものである。
【００４８】
次に、倒伏状態の排水溝蓋２を止水構造１−４として用いる場合の手順について説明する。図１１に示すように、まず、倒伏状態の排水溝蓋２を回動機構６により端部２３を回動基点として起立させる。このとき、回動規制機構７は、排水溝蓋２が倒伏状態から起立状態に回動することに連動して動作し、第１アーム７３と第２アーム７４とが一直線となる。次に、防水シート４を起立状態の排水溝蓋２の屋外側に設置する。これにより、排水溝蓋２を用いた止水構造１−４を設置する。
【００４９】
以上のことから、本実施形態に係る止水構造１−４は、実施形態３と同様の効果を奏することができる。また、排水溝１１０を用いずに、防水シート４を設置することができるので、止水構造１−４を簡単に設置することができる。
【００５０】
〔実施形態５〕
次に、実施形態５に係る止水構造について説明する。図１２は、実施形態５に係る床面に設置された排水溝蓋を示す平面図である。図１３は、実施形態５に係る止水構造の概略構成例を示す平面図である。実施形態５に係る止水構造１−５が実施形態１に係る止水構造１−１と異なる点は、開口部２１０の幅Ｌよりも排水溝１１０の幅が長い点である。
【００５１】
排水溝１１０は、本実施形態では、図１２に示すように、建物２００に設けられた開口部２１０よりも屋外側に形成されており、その長さは開口部２１０の幅Ｌよりも長い。排水溝１１０の両端部は、壁部材２０１，２０２と隣接して形成されている。
【００５２】
本実施形態に係る止水構造１−５は、図１３に示すように、防水シート８が起立状態の排水溝蓋２と連続する壁部材２０１，２０２まで延在しており、防水シート８の両端部が壁部材２０１，２０２に取り付けられている。また、防水シート８は、壁部材２０１，２０２と排水溝１１０とに接する床面１００に敷設されている。なお、防水シート８のうち、排水溝１１０の底面１１０ａと対向する部分のみならず、床面１００と対向する部分にもおもりが載置されることが好ましい。本実施形態に係る止水構造１−５においても、上記実施形態１と同様の効果を奏することができる。
【００５３】
〔実施形態６〕
次に、実施形態６に係る止水構造について説明する。図１４は、実施形態６に係る床面に設置された排水溝蓋を示す平面図である。図１５は、実施形態６に係る止水構造の概略構成例を示す平面図である。実施形態６に係る止水構造１−６が実施形態１に係る止水構造１−１と異なる点は、開口部２１０の幅Ｌよりも排水溝１１０の幅が短い点である。
【００５４】
排水溝１１０は、本実施形態では、図１４に示すように、建物２００に設けられた開口部２１０に形成されており、その長さは開口部２１０の幅Ｌよりも短い。排水溝１１０の両端部は、壁部材２０１，２０２と離間して形成されている。
【００５５】
本実施形態に係る止水構造１−６は、図１５に示すように、防水シート９が壁部材２０１，２０２まで延在しておらず、起立状態の排水溝蓋２の屋外側に取り付けられている。従って、防水シート９と壁部材２０１，２０２との間に隙間が形成されている。この隙間には、例えば土嚢などの埋め部材１０が設置されている。本実施形態に係る止水構造１−６においては、開口部２１０の一部の領域において屋外側から屋内側に水が侵入することを抑制することができる。止水構造１−６において、水の侵入を抑制できない開口部２１０の領域は、埋め部材１０により水の侵入を抑制することで、開口部２１０の全領域において水の侵入を抑制することができる。
【００５６】
なお、実施形態１−１〜１−６において、隣り合う排水溝蓋２を図示しない連結具により連結するようにしてもよい。この場合は、すべての排水溝蓋２を１つの構造物として取り扱うことができるので、各排水溝蓋２に対応して保持具３を設置する必要がなくなる。これにより、止水構造１−１〜１−６を構成する部材を減らすことができる。
【００５７】
また、実施形態１−１〜１−６において、防水シート４は、両端部４３，４４をそれぞれ壁部材２０１，２０２まで延在することで、壁部材２０１，２０２に取り付けてもよい。また、実施形態１−６において、防水シート４は、両端部４３，４４をそれぞれ埋め部材１０まで延在することで、埋め部材１０に取り付けてもよい。また、実施形態１−６において、防水シート４は、両端部４３，４４をそれぞれ埋め部材１０まで延在することで、埋め部材１０と排水水蓋２との間に挟むことで取り付けてもよい。
【産業上の利用可能性】
【００５８】
以上のように、本発明に係る止水構造は、開閉体を有しない開口部に有用であり、特に、屋外側から屋内側に向かう水の浸入を抑制するのに適している。
【符号の説明】
【００５９】
１−１〜１−６  止水構造
２  排水溝蓋
３  保持具
４  防水シート
５  おもり
６  回動機構
７  回動規制機構
１００  床面
１１０  排水溝
１２０  ブロック
１２２ａ  挿入溝
２００  建物
２０１，２０２  壁部材
【図１】
2019124037.tif 000003
【図２】
2019124037.tif 000004
【図３】
2019124037.tif 000005
【図４】
2019124037.tif 000006
【図５】
2019124037.tif 000007
【図６】
2019124037.tif 000008
【図７】
2019124037.tif 000009
【図８】
2019124037.tif 000010
【図９】
2019124037.tif 000011
【図１０】
2019124037.tif 000012
【図１１】
2019124037.tif 000013
【図１２】
2019124037.tif 000014
【図１３】
2019124037.tif 000015
【図１４】
2019124037.tif 000016
【図１５】
2019124037.tif 000017